(57)【要約】  フットウェアの物品（１００）又はアパレルの物品（１４００、１５００、１６００）は、制御デバイス（２００）のインストレーションを促進させるための設備を含むことが可能である。制御デバイスは、マニュアル制御をユーザに提供することができる複数のボタン（２０６）を含むパネル（２０４）を含むことが可能である。制御デバイスは、フットウェアの物品の初期の製造の後に、物品の中のコンパートメント（３０２）の中にインストールされ得る。いくつかのケースでは、制御デバイスは、電動式テンショニング・システムの中の異なる機能を果たすために使用され得る。
2018516123.tif 000002
【特許請求の範囲】
【請求項１】
アッパー及びソール構造体と、
制御デバイスであって、前記制御デバイスは、パネルを含んでなる、制御デバイスとからなるフットウェアの物品において、
前記アッパーは、第１の表面及び第２の表面を有し、前記第１の表面の一部分と前記第２の表面の一部分との間にコンパートメントが形成されており、
前記第１の表面は、１つ以上のアパーチャからなり、前記１つ以上のアパーチャは、第１のアパーチャを含み、
前記パネルは、１つ以上のボタンを有し、前記１つ以上のボタンは、第１のボタンを含み、
前記パネルは、前記コンパートメントの中に設けられ、
前記第１のボタンは、前記第１のアパーチャと整合させられている、フットウェアの物品。
【請求項２】
前記第１の表面は、前記アッパーの最も外側の表面である、請求項１に記載の物品。
【請求項３】
前記コンパートメントは、前記第１の表面と前記第２の表面との間に形成されたトンネルからなる、請求項１に記載の物品。
【請求項４】
前記コンパートメントは、スロットをさらに含み、前記スロットは、少なくとも前記パネルの第１の縁部を受け入れる、請求項１に記載の物品。
【請求項５】
第１のボタン・カバーをさらに含み、前記第１のボタン・カバーは、前記第１のボタンに隣接して設けられる、請求項１に記載の物品。
【請求項６】
前記制御デバイスは、前記フットウェアの物品に関連付けられた電動式テンショニング・システムにコマンドを送信するために使用される、請求項１に記載の物品。
【請求項７】
前記コンパートメントは、前記アッパーの甲領域に沿って位置付けされている、請求項１に記載の物品。
【請求項８】
第１の表面及び第２の表面であって、前記第１の表面は、前記第２の表面とは別々の材料の部分からなる、第１の表面及び第２の表面と、
制御デバイスであって、前記制御デバイスは、パネルからなる、制御デバイスと、
前記第１の表面と前記第２の表面との間に形成されているコンパートメントと、
からなるアパレルの物品において、
前記第１の表面は、１つ以上のアパーチャからなり、前記１つ以上のアパーチャは、第１のアパーチャを含み、
前記パネルは、１つ以上のボタンを含み、前記１つ以上のボタンは、第１のボタンを含み、
前記パネルは、前記コンパートメントの中に設けられ、
前記第１のボタンは、前記第１のアパーチャを通して露出されている、アパレルの物品。
【請求項９】
前記パネルは、フック部分をさらに含んでなり、前記フック部分は、前記コンパートメントの中に前記パネルを固定することを促進する、請求項８に記載の物品。
【請求項１０】
前記パネルは、実質的に２次元の材料から形成されている、請求項８に記載の物品。
【請求項１１】
前記第１のボタンの形状、及び、前記第１のアパーチャの形状は、概ね同一である、請求項８に記載の物品。
【請求項１２】
前記制御デバイスは、ポートとの接続部分をさらに含んでなり、前記ポートは、前記物品に関連付けられた接続要素と前記制御デバイスを接合する、請求項８に記載の物品。
【請求項１３】
前記コンパートメントは、トンネルを含んでなり、前記トンネルは、前記パネルを堅固に受け入れる、請求項１１に記載の物品。
【請求項１４】
前記第１の表面は、前記物品の最も外側の表面である、請求項８に記載の物品。
【請求項１５】
フットウェアの物品の中に制御デバイスを載置する方法において、
前記フットウェアの物品の中のアッパーの内部空洞に前記制御デバイスを関連付ける工程と、
前記アッパーの一部分の中に形成されたスロットの中へ前記制御デバイスのパネルの縁部を挿入する工程と、
前記アッパーの中に形成されたコンパートメントの中に前記パネルが設けられるように、前記スロットを通して前記パネルを移動させる工程と、
前記パネルの上に設けられる少なくとも１つのボタンを、前記アッパーの上に形成された少なくとも１つのアパーチャに整合させる工程とを備える、方法。
【請求項１６】
前記制御デバイスのポートを前記フットウェアの物品の中の接続要素に接続する工程をさらに備える、請求項１５に記載の方法。
【請求項１７】
少なくとも１つのボタン・カバーを前記パネルの上に載置する工程をさらに備える、請求項１５に記載の方法。
【請求項１８】
前記パネルに沿って形成されたフック部分を使用して、前記コンパートメントの中に前記パネルを固定する工程をさらに備える、請求項１５に記載の方法。
【請求項１９】
前記スロットを通して前記パネルを移動させる工程は、前記パネルの中に形成された孔部を把持する工程、及び、引張要素を使用して前記コンパートメントを通して前記パネルを案内する工程をさらに備える、請求項１５に記載の方法。
【請求項２０】
前記少なくとも１つのボタンが前記フットウェアの物品の甲領域に沿って位置付けされるように、前記パネルを位置決めする工程をさらに備える、請求項１５に記載の方法。
【発明の詳細な説明】
【技術分野】
【０００１】
本発明は、フットウェアの物品、及び、フットウェアの物品を製造する方法一般に関する。
【背景技術】
【０００２】
フットウェアの物品は、一般的に、２つの主要な要素、すなわち、アッパー及びソール構造体を含む。アッパーは、複数の材料要素（たとえば、テクスタイル、ポリマー・シート層、発泡体層、皮革、合成皮革）から形成されることが多く、複数の材料要素は、一緒に縫い合わせられ、又は、接着剤によって結合され、快適にしっかりと足を受け入れるために、フットウェアの内部に空洞を形成する。より具体的には、アッパーは、足の甲エリア及びつま先エリアにわたって、足の内側及び外側に沿って、ならびに、足のヒール・エリアの周りに延在する、構造体を形成している。また、アッパーは、レーシング・システムを組み込み、フットウェアのフィット感を調節することが可能であり、アッパーの中の空洞への足の進入、及び、空洞からの足の引き出しを可能にする。同様に、いくつかのアパレルの物品は、アパレルのフィット感を調節するためのさまざまな種類のクロージャ・システムを含むことが可能である。
【発明の概要】
【課題を解決するための手段】
【０００３】
１つの態様では、本開示は、フットウェアの物品に関し、フットウェアの物品は、アッパー及びソール構造体と、制御デバイスと、からなり、制御デバイスは、パネルからなる。アッパーは、第１の表面及び第２の表面を有しており、コンパートメントが、第１の表面の一部分と第２の表面の一部分との間に形成されている。また、第１の表面は、１つ以上のアパーチャを有しており、１つ以上のアパーチャは、第１のアパーチャを含む。パネルは、１つ以上のボタンを含み、１つ以上のボタンは、第１のボタンを含み、パネルは、コンパートメントの中に設けられている。そのうえ、第１のボタンは、第１のアパーチャと整合させられている。
【０００４】
別の態様では、本開示は、アパレルの物品に関し、アパレルの物品は、第１の表面及び第２の表面からなり、第１の表面は、第２の表面とは別々の材料の部分からなる。また、アパレルの物品は、制御デバイスを有しており、制御デバイスは、パネルからなる。コンパートメントは、第１の表面と第２の表面との間に形成されており、第１の表面は、１つ以上のアパーチャを有しており、１つ以上のアパーチャは、第１のアパーチャを含む。また、パネルは、１つ以上のボタンを含み、１つ以上のボタンは、第１のボタンを含む。パネルは、コンパートメントの中に設けられており、第１のボタンが第１のアパーチャを通して露出されるようになっている。
【０００５】
別の態様では、本開示は、フットウェアの物品の中に制御デバイスを載置する方法に関し、その方法は、フットウェアの物品の中のアッパーの内部空洞に制御デバイスを関連付ける工程と、アッパーの一部分の中に形成されたスロットの中へ制御デバイスのパネルの縁部を挿入する工程と、からなる。方法は、アッパーの中に形成されたコンパートメントの中にパネルが設けられるように、スロットを通してパネルを移動させる工程と、パネルの上に設けられている少なくとも１つのボタンを、アッパーの上に形成された少なくとも１つのアパーチャに整合させる工程と、をさらに含む。
【０００６】
本実施形態の他のシステム、方法、特徴、及び利点は、以下の図及び詳細な説明を検討すると、当業者に明らかであることとなり、又は、当業者に明らかになることとなる。この説明及びこの概要の中に含まれているすべてのそのような追加的なシステム、方法、特徴、及び利点は、実施形態の範囲の中にあり、また以下の特許請求の範囲によって保護されるということが意図されている。
【０００７】
実施形態は、以下の図面及び説明を参照して、より良好に理解され得る。図の中の構成部品は、必ずしも縮尺通りになっているわけではなく、その代わりに、本発明の原理を図示することに強調が置かれている。そのうえ、図において、同様の参照番号は、異なる図の全体を通して、対応するパーツを指定している。
【図面の簡単な説明】
【０００８】
【図１】フットウェアの物品の実施形態の概略を示す等角側面図。
【図２】制御デバイスの実施形態の概略を示す図。
【図３】コンパートメントを備えたフットウェアの物品の実施形態の概略を示す等角図。
【図４】コンパートメント及び制御デバイスを備えたフットウェアの物品の実施形態の概略を示す等角図。
【図５】コンパートメント及び制御デバイスを備えたフットウェアの物品の実施形態の概略を示す等角図。
【図６】コンパートメント及び制御デバイスを備えたフットウェアの物品の実施形態の概略を示す等角図。
【図７】コンパートメントの中の制御デバイスの実施形態の概略を示す分解図。
【図８】カバーを備えたコンパートメントの中の制御デバイスの実施形態の概略を示す等角図。
【図９】制御デバイス・インターフェースの実施形態の側部断面図。
【図１０】制御デバイス・インターフェースの実施形態の側部断面図。
【図１１】フットウェアの物品の実施形態の概略を示す等角側面図。
【図１２】制御デバイス・インターフェースの実施形態の側部断面図。
【図１３】制御デバイス・インターフェースの実施形態の側部断面図。
【図１４】制御デバイスを備えた物品の等角図。
【図１５】制御デバイスを備えた物品の等角図。
【図１６】制御デバイスを備えた物品の等角図。
【図１７】物品の中に制御デバイスを載置する方法を示すフローチャート。
【発明を実施するための形態】
【０００９】
以下の議論及び添付の図は、フットウェアの物品、及び、フットウェアの物品の組み立ての方法を開示している。本明細書で開示されているフットウェアに関連付けられる概念は、たとえば、ランニング・シューズ、バスケットボール・シューズ、サッカー・シューズ、ベースボール・シューズ、フットボール・シューズ、及びゴルフ・シューズを含む、さまざまな運動用フットウェア・タイプに適用され得る。したがって、本明細書で開示されている概念は、多種多様なフットウェア・タイプに適用する。
【００１０】
さまざまな実施形態の後続の説明を支援及び明確化するために、さまざまな用語が、本明細書で定義される。別段の指示がない限り、以下の定義は、この明細書（特許請求の範囲を含む）の全体を通して適用される。一貫性及び便宜のために、方向の形容詞が、図示されている実施形態に対応するこの詳細な説明の全体を通して用いられている。
【００１１】
この詳細な説明の全体を通して、及び、特許請求の範囲の中で使用されているように、「長手方向」という用語は、構成部品の長さに延在する方向を表している。たとえば、フットウェアの物品の長手方向は、フットウェアの物品のフォアフット領域とヒール領域との間に延在している。「前方」という用語は、足のつま先が向く一般的な方向を表すために使用されており、「後方」という用語は、反対側方向、すなわち、足のヒールが向いている方向を表すために使用される。
【００１２】
この詳細な説明の全体を通して、及び、特許請求の範囲の中で使用されているように、「横方向」という用語は、構成部品の幅に延在する左右方向を表している。換言すれば、横方向は、フットウェアの物品の内側と外側との間に延在することが可能であり、フットウェアの物品の外側は、他方の足から離れる方を向く表面であり、内側は、他方の足の方を向く表面である。
【００１３】
この明細書及び特許請求の範囲の中で使用されているように、「側部」という用語は、上向き方向又は下向き方向とは対照的に、概して外側方向、内側方向、前方方向、又は後方方向を向く、構成部品の任意の部分を表している。
【００１４】
この詳細な説明の全体を通して、及び、特許請求の範囲の中で使用されているように、「垂直方向」という用語は、横方向及び長手方向の両方に対して概して垂直の方向を表している。たとえば、ソールが地面表面の上に平坦に置かれているケースでは、垂直方向は、地面表面から上向きに延在することが可能である。これらの方向の形容詞のそれぞれは、ソールの個々の構成部品に適用され得るということが理解されることとなる。「上向き」という用語は、地面表面から離れる方に向かう垂直の方向を表しており、一方、「下向き」という用語は、地面表面の方に向かう垂直の方向を表している。同様に、「上部」、「上側」という用語、及び、他の同様の用語は、垂直方向に地面から実質的に最も遠い物体の部分を表しており、「底部」、「下側」という用語、及び、他の同様の用語は、垂直方向に地面に実質的に最も近い物体の部分を表している。
【００１５】
シューズの「内部」は、シューズが着用されているときに着用者の足によって占有されているスペースを表している。パネル又は他のシューズ・要素の「内側」は、完成したシューズの中のシューズ内部に向けて配向されている（又は、配向されることとなる）そのパネル又は要素の面を表している。要素の「外側」又は「外部」は、完成したシューズの中のシューズ内部から離れる方に配向されている（又は、配向されることとなる）その要素の面を表している。いくつかのケースでは、要素の内側は、完成したシューズの中の内側と内部との間に他の要素を有することが可能である。同様に、要素の外側は、その外側と完成したシューズの外部のスペースとの間に他の要素を有することが可能である。さらに、「内向き」及び「内向きに」という用語は、シューズの内部に向かう方向を表しているはずであり、「外向き」及び「外向きに」という用語は、シューズの外部に向かう方向を表しているはずである。
【００１６】
この開示の目的のために、先述の方向の用語は、フットウェアの物品に関連して使用されるときに、ソールが地面方向を向いた状態で直立した位置になっているときのフットウェアの物品を参照しているはずであり、すなわち、実質的に水平な表面の上に立っている着用者によって着用されているときにそれが位置決めされることとなるようなフットウェアの物品を参照しているはずである。
【００１７】
それに加えて、この開示の目的のために、「固定して取り付けられている」という用語は、（たとえば、構成部品のうちの一方又は両方を破壊することなく）構成部品が容易に分離されることができないような様式で接合されている２つの構成部品を表しているはずである。固定された取り付けの例示的な様式は、恒久的な接着剤、リベット、縫い合わせ、ネイル、ステープル、溶着、もしくは他の熱結合によって接合すること、又は、他の接合技法を含むことが可能である。それに加えて、２つの構成部品は、たとえば、成形プロセスで、一体的に形成されているおかげで、「固定して取り付けられている」ことも可能である。
【００１８】
この開示の目的のために、「取り外し可能に取り付けられている」又は「取り外し可能に挿入されている」という用語は、２つの構成部品が一緒に固定されるが互いから容易に取り外され得る様式で、２つの構成部品、又は、構成部品及び要素を接合することを表しているはずである。取り外し可能な取り付けメカニズムの例は、面ファスナー、摩擦フィット接続、締まり嵌め接続、ネジ式コネクター、カム・ロッキング・コネクター、１つの材料を別の材料とともに圧縮すること、及び、他のそのような容易に取り外し可能なコネクターを含むことが可能である。
【００１９】
図１は、テンショニング・システム１５０を備えて構成されている物品の物品１００の実施形態の概略等角図を図示している。本実施形態では、物品の物品１００は、以降では、単に物品１００とも称されており、フットウェアの物品１００は、ランニング・シューズなどのような運動靴の形態で示されている。しかし、他の実施形態では、テンショニング・システム１５０は、それに限定されないが、ハイキング・ブーツ、サッカー・シューズ、フットボール・シューズ、スニーカ、ランニング・シューズ、クロス・トレーニング・シューズ、ラグビー・シューズ、バスケットボール・シューズ、ベースボール・シューズ、及び、他の種類のシューズを含む、任意の他の種類のフットウェアとともに使用され得る。そのうえ、いくつかの実施形態では、物品１００は、それに限定されないが、スリッパ、サンダル、ハイヒールのフットウェア、ローファ、及び、任意の他の種類のフットウェアを含む、さまざまな種類の非スポーツ関連のフットウェアとともに使用するように構成され得る。下記にさらに詳細に議論されているように、テンショニング・システムは、フットウェアに限定されなくてもよく、他の実施形態では、テンショニング・システム、及び／又は、テンショニング・システムに関連付けられる構成部品は、衣類、スポーツウェア、スポーツ機器、及び、他の種類のアパレルを含む、さまざまな種類のアパレルとともに使用され得る。さらなる他の実施形態では、テンショニング・システムは、医療用ブレースなどのようなブレースとともに使用され得る。
【００２０】
上述のように、一貫性及び便宜のために、方向の形容詞が、この詳細な説明の全体を通して用いられている。物品１００は、長手方向軸線１８０に沿って３つの一般的な領域、すなわち、フォアフット領域１０５、ミッドフット領域１２５、及びヒール領域１４５に分割され得る。フォアフット領域１０５は、一般的に、つま先、及び、中足骨と指骨を接続する関節に対応する物品１００の部分を含む。ミッドフット領域１２５は、一般的に、足の土踏まずエリアに対応する物品１００の部分を含む。ヒール領域１４５は、一般的に、踵骨を含む足の後方部分に対応している。フォアフット領域１０５、ミッドフット領域１２５、及びヒール領域１４５は、物品１００の正確なエリアを画定することは意図されていない。むしろ、フォアフット領域１０５、ミッドフット領域１２５、及びヒール領域１４５は、以下の議論を支援するために、物品１００の一般的に相対的なエリアを表すことが意図されている。物品１００のさまざまな特徴は、物品１００の１つの領域を越えて延在しているので、フォアフット領域１０５、ミッドフット領域１２５、及びヒール領域１４５という用語は、物品１００に適用するだけでなく、物品１００のさまざまな特徴にも適用する。
【００２１】
図１を参照すると、参照目的のために、物品１００の横方向軸線１９０、及び、物品１００に関連する任意の構成部品は、足の内側１６５と外側１８５との間に延在することが可能である。追加的に、いくつかの実施形態では、長手方向軸線１８０は、フォアフット領域１０５からヒール領域１４５へ延在することが可能である。また、これらの方向の形容詞のそれぞれは、アッパー及び／又はソール部材などのような、フットウェアの物品の個々の構成部品に適用され得るということが理解されることとなる。それに加えて、垂直方向の軸線１７０は、長手方向軸線１８０及び横方向軸線１９０によって画定される水平方向の表面に対して垂直な軸線を表している。
【００２２】
物品１００は、アッパー１０２及びソール構造体１０４を含むことが可能である。一般的に、アッパー１０２は、任意のタイプのアッパーであることが可能である。とりわけ、アッパー１０２は、任意の設計、形状、サイズ、及び／又は色を有することが可能である。たとえば、物品１００がバスケットボール・シューズである実施形態では、アッパー１０２は、足首の上にハイ・サポートを提供するように形状決めされたハイ・トップ・アッパーであることが可能である。物品１００がランニング・シューズである実施形態では、アッパー１０２は、ロー・トップ・アッパーであることが可能である。
【００２３】
図１に示されているように、アッパー１０２は、１つ以上の材料要素（たとえば、メッシュ、テクスタイル、発泡体、皮革、及び合成皮革）を含むことが可能であり、それは、着用者の足を受け入れるように構成されている内部空洞を画定するために接合させられ得る。材料要素は、軽量性、耐久性、通気性、耐摩耗性、柔軟性、及び快適性などのような、特性を選択的に付与するように選択及び配置され得る。アッパー１０２は、開口部１３０を画定することが可能であり、開口部１３０を通して、着用者の足は、内部空洞の中へ受け入れられ得る。
【００２４】
ソール構造体１０４の少なくとも一部分は、（たとえば、接着剤、縫い合わせ、溶着、又は、他の適切な技法によって）アッパー１０２に固定して取り付けられ得、また、アッパー１０２と地面との間に延在する構成を有することが可能である。ソール構造体１０４は、地面反力を軽減するための設備を含むことが可能である（すなわち、垂直方向の及び水平方向の荷重の間に、足の衝撃を和らげ、足を安定化させる）。それに加えて、ソール構造体１０４は、トラクションを提供し、安定性を付与し、また、回内運動、回外運動、又は他の運動などのような、さまざまな足の運動を制御又は制限するように構成され得る。
【００２５】
いくつかの実施形態では、ソール構造体１０４は、物品１００のためのトラクションを提供するように構成され得る。トラクションを提供することに加えて、ソール構造体１０４は、ウォーキング、ランニング、又は、他の歩行活動の間に、足と地面との間で圧縮されるときに、地面反力を軽減することが可能である。ソール構造体１０４の構成は、異なる実施形態において、さまざまな従来の又は非従来の構造体を含むように、著しく変化することが可能である。いくつかのケースでは、ソール構造体１０４の構成は、ソール構造体１０４がその上で使用され得る１つ以上のタイプの地面表面にしたがって構成され得る。
【００２６】
たとえば、開示されている概念は、インドア表面又はアウトドア表面を含む、さまざまな表面のいずれかの上で使用するように構成されているフットウェアに適用可能であり得る。ソール構造体１０４の構成は、物品１００がその上で使用されることが予想される表面の特性及び条件に基づいて変化することが可能である。たとえば、ソール構造体１０４は、表面がより硬いか又はより柔らかいかということに応じて変化することが可能である。それに加えて、ソール構造体１０４は、濡れた条件又は乾燥した条件で使用するように仕立てられ得る。
【００２７】
いくつかの実施形態では、ソール構造体１０４は、とりわけ、特殊化した表面又は条件に関して構成され得る。提案されているフットウェア・アッパー構築体は、バスケットボール、サッカー、フットボール、及び他の体育活動などのような、任意の種類のフットウェアに適用可能であり得る。したがって、いくつかの実施形態では、ソール構造体１０４は、硬いインドア表面（たとえば、ハードウッドなど）、柔らかい天然芝表面、又は、硬い人工芝表面の上で、トラクション及び安定性を提供するように構成され得る。いくつかの実施形態では、ソール構造体１０４は、複数の異なる表面の上で使用するように構成され得る。
【００２８】
さらに下記に議論されることとなるように、異なる実施形態では、ソール構造体１０４は、異なる構成部品を含むことが可能である。たとえば、ソール構造体１０４は、アウトソール、ミッドソール、クッショニング層、及び／又はインソールを含むことが可能である。それに加えて、いくつかのケースでは、ソール構造体１０４は、地面表面とのトラクションを増加させるように構成されている１つ以上のクリート部材又はトラクション・要素を含むことが可能である。
【００２９】
いくつかの実施形態では、ソール構造体１０４は、複数の構成部品を含むことが可能であり、それは、サポート、剛性、柔軟性、安定性、クッショニング、快適性、低減された重量、又は他の属性などのような、複数の属性を有する物品１００を個別に又は集合的に提供することが可能である。いくつかの実施形態では、ソール構造体１０４は、インソール／中敷き、ミッドソール１５１、及び、地面に接触する外側ソール部材（「アウトソール」）１６２を含むことが可能であり、外側ソール部材（「アウトソール」）１６２は、地面に接触する露出された下側表面を有することが可能である。しかし、いくつかのケースでは、これらの構成部品のうちの１つ以上は、省略されている可能性がある。１つの実施形態では、ソール構造体１０４は、さらに下記に議論されることとなるように、ソール・プレートを含むことが可能である。
【００３０】
そのうえ、いくつかの実施形態では、インソールは、アッパー１０２によって画定される空洞の中に設けられ得る。インソールは、フォアフット領域１０５、ミッドフット領域１２５、及びヒール領域１４５のそれぞれを通って延在することが可能であり、また、物品１００の外側１８５と内側１６５との間に延在することが可能である。インソールは、ポリウレタン発泡体、又は、他のポリマー発泡体材料などのような、変形可能な（たとえば、圧縮可能な）材料から形成され得る。したがって、インソールは、その圧縮可能性のおかげで、クッショニングを提供することが可能であり、また、快適性、サポート、及び安定性を提供するために、足に一致することが可能である。
【００３１】
ミッドソール１５１は、たとえば、縫い合わせ、接着剤結合、熱結合（たとえば、溶着など）、又は他の技法を通して、アッパー１０２の下側エリアに固定して取り付けられ得、又は、アッパー１０２と一体化され得る。ミッドソール１５１は、物品１００が意図される活動にしたがって、上記に説明されている特性を有する任意の適切な材料から形成され得る。いくつかの実施形態では、ミッドソール１５１は、発泡ポリマー材料を含むことが可能であり、それは、たとえば、ポリウレタン（ＰＵ）、エチル酢酸ビニル（ＥＶＡ）、又は、ソール構造体１０４がウォーキング、ランニング、もしくは他の歩行活動の間に地面に接触するときに地面反力を軽減するように動作する任意の他の適切な材料などのようなものである。
【００３２】
ミッドソール１５１は、フォアフット領域１０５、ミッドフット領域１２５、及びヒール領域１４５のそれぞれを通って延在することが可能であり、また、物品１００の外側１８５と内側１６５との間に延在することが可能である。いくつかの実施形態では、ミッドソール１５１の部分は、図１に示されているように、物品１００の周囲の周りに露出され得る。他の実施形態では、ミッドソール１５１は、アッパー１０２からの材料層などのような、他の要素によって完全にカバーされ得る。たとえば、いくつかの実施形態では、ミッドソール１５１、及び／又は、アッパー１０２の他の部分は、ブーティに隣接して設けられ得る（図３及び図４を参照）。
【００３３】
そのうえ、図１に示されているように、物品１００は、タン１７２を含むことが可能であり、タン１７２は、スロート開口部１３２の近くに、又は、スロート開口部１３２に沿って設けられ得る。いくつかの実施形態では、タン１７２は、物品１００の甲領域１１０の中又は近くに設けられ得る。しかし、他の実施形態では、タン１７２は、フットウェアの物品の他の部分に沿って設けられることができ、又は、物品は、タンを含まなくてもよい。
【００３４】
それに加えて、上述のように、異なる実施形態では、物品１００は、テンショニング・システム１５０を含むことが可能である。テンショニング・システム１５０は、内部空洞につながる開口部１３０のサイズを調節するための（図２を参照）、及び、着用者の足の周りのアッパー１０２を締め付ける（又は、緩める）ための、さまざまな構成部品及びシステムを含むことが可能である。いくつかの実施形態では、テンショニング・システム１５０は、１つ以上のレース、及び電動式テンショニング・デバイスを含むことが可能である。レースは、さまざまなレーシング・ガイド１５４を通過するように構成され得、レーシング・ガイド１５４は、スロート開口部１３２の縁部にさらに関連付けられ得る。いくつかのケースでは、レーシング・ガイド１５４は、アッパーの上の伝統的なアイレットと同様の機能を提供することが可能である。とりわけ、レースが引っ張られ又はテンションをかけられるときに、スロート開口部１３２は、一般的に収縮することが可能であり、アッパー１０２が足の周りに締め付けられるようになっている。
【００３５】
図１のレーシング・ガイド１５４の配置は、単に例示的なものであるということが意図されており、他の実施形態は、レーシング・ガイド１５４に関して特定の構成に限定されないということが理解されることとなる。そのうえ、実施形態に図示されている特定のタイプのレーシング・ガイド１５４も、例示的なものであり、他の実施形態は、任意の他の種類のレーシング・ガイド又は同様のレーシング設備を組み込むことが可能である。いくつかの他の実施形態では、たとえば、レースは、伝統的なアイレットを通して挿入され得る。実施形態の中に組み込まれ得るレース・ガイディング設備のいくつかの例が、２０１２年１月５日に公開された「レース・ガイド（Ｌａｃｅ  Ｇｕｉｄｅ）」という標題のコッターマンら（Ｃｏｔｔｅｒｍａｎ  ｅｔ  ａｌ．）による米国特許出願公開第２０１２／０００００９１号に開示されており、その開示は、その全体を参照により本願明細書に援用する。追加的な例は、２０１１年１１月３日に公開された「リール・ベースのレーシング・システム（Ｒｅｅｌ  Ｂａｓｅｄ  Ｌａｃｉｎｇ  Ｓｙｓｔｅｍ）」という標題のグッドマンら（Ｇｏｏｄｍａｎ  ｅｔ  ａｌ．）による米国特許出願公開第２０１１／０２６６３８４号に開示されており、その開示は、その全体を参照により本願明細書に援用する。レース・ガイドのさらなる追加的な例は、２０１１年９月２２日に公開された「レーシング・システムのためのガイド（Ｇｕｉｄｅｓ  Ｆｏｒ  Ｌａｃｉｎｇ  Ｓｙｓｔｅｍｓ）」という標題のケルンスら（Ｋｅｒｎｓ  ｅｔ  ａｌ．）による米国特許出願公開第２０１１／０２２５８４３号に開示されており、その開示は、その全体を参照により本願明細書に援用する。
【００３６】
物品１００とともに使用されるようなレースは、当技術分野で公知の任意のタイプのレーシング材料を含むことが可能である。使用され得るレースの例は、低い弾性係数及び高い引張強度を有するケーブル又はファイバーを含む。レースは、単一のストランドの材料を含むことが可能であり、又は、複数のストランドの材料を含むことが可能である。レースに関する例示的な材料は、Ｈｏｎｅｙｗｅｌｌ  ｏｆ  Ｍｏｒｒｉｓ  Ｔｏｗｎｓｈｉｐ  ＮＪによって製造されているＳＰＥＣＴＲＡ（商標）であるが、他の種類の拡張鎖（ｅｘｔｅｎｄｅｄ  ｃｈａｉｎ）の高弾性ポリエチレン・ファイバー材料も、レースとして使用され得る。一層さらなる例示的なレースの特性が、上述のリール・ベースのレーシング用途の中に見出され得る。
【００３７】
したがって、いくつかの実施形態では、レースは、レーシング・ガイド１５４を通過させられ得る。他の実施形態では、レースは、レーシング・ガイド１５４の近くにあるチャネル開口部１５６に進入した後に、アッパー１０２の中の内部チャネル１５３を通過することが可能である。いくつかの実施形態では、内部チャネル１５３は、アッパー１０２の側部の周りに延在し、また、ソール構造体１０４の中に設けられる電動式テンショニング・デバイスに向けて、レースを案内する。いくつかのケースでは、電動式テンショニング・デバイスは、レースの一部分を受け入れるための設備を含むことが可能である。いくつかのケースでは、レースの端部部分は、アッパー１０２の内部チャネル１５３から出ていくことが可能であり、また、電動式テンショニング・デバイスを含有するハウジング・ユニットの中のアパーチャを通過することが可能である。
【００３８】
いくつかの実施形態では、電動式テンショニング・デバイスは、一般的に、アッパー１０２を締め付け及び緩める目的のために、テンションをレースに自動的に印加するように構成され得る。したがって、電動式テンショニング・デバイスは、電動式テンショニング・デバイスの内部のスプールの上にレースを巻き取るための、及び、スプールからレースを巻き出すための設備を含むことが可能である。そのうえ、設備は、電気モータを含むことが可能であり、電気モータは、さまざまな入力又は制御に応答して、スプールを自動的に巻き取り及び巻き出す。
【００３９】
異なる実施形態では、電動式レーシング・システムの制御、又は、物品の中の他の電気的なもしくは自動化された特徴の制御が、さまざまなプロセス及び装置を使用して達成され得る。図１を参照して上記に述べられているように、物品１００のいくつかの実施形態は、電動式テンショニング・システムもしくはレーシング・システム又は他のメカニズムにコマンドを送る又は送信するためのさまざまな種類のデバイスを利用することが可能である。ここで図２を参照すると、さまざまな物品は、物品に関連付けられたシステムにコマンドを送るための異なる種類のデバイスを利用することが可能である。いくつかの実施形態では、物品は、制御デバイス２００を含むことが可能である。
【００４０】
いくつかの実施形態では、制御デバイスは、物品１００の中の電流、圧力、又は他の特性を測定するために利用され得る、さまざまなボタン、スイッチ、メカニズム、又は構成部品を含むことが可能である。異なる実施形態では、制御デバイスは、力の相対的な変化又は印加される荷重を検出及び測定することができ、力の変化のレートを検出及び測定することができ、力の閾値を識別することができ、ならびに／又は、接触及び／もしくはタッチを検出することができる、構成部品又は要素を含むことが可能である。
【００４１】
したがって、異なる実施形態では、物品は、他のデバイス又はシステムの機能を管理し、コマンドを送り、指示し、活性化させ、又は、そうでなければ調整するための設備を含むことが可能である。図２では、制御デバイス２００は、ボタン・ボード又はパネル２０４として示されている制御ユニットを含む。いくつかの実施形態では、パネル２０４は、実質的に平坦な又は２次元の材料又は構造体からなることが可能である。この詳細な説明及び特許請求の範囲の全体を通して使用されているような「２次元」という用語は、材料の厚さよりも実質的に大きい長さ及び幅を示す任意の概して平坦な材料を表している。２次元の材料は、滑らかな又は全体的にテクスチャー加工されていない表面を有することが可能であるが、いくつかの２次元の材料は、テクスチャー加工、又は、たとえば、ディンプリング、突出部、リブ、もしくは、さまざまなパターンなどのような、他の表面特性を示すこととなる。他の実施形態では、パネル２０４の幾何学形状は、変化することが可能であり、足のパーツ、たとえば、足の甲領域に関連付けられたさまざまな輪郭又は特徴を含むことが可能である。
【００４２】
パネル２０４は、異なる実施形態では、異なる寸法及び／又は形状をさらに有することが可能である。図２では、ボタン２０６は、パネル２０４を含む実質的に連続的な長方形形状の及び比較的に幅の狭いストリップに沿って設けられている。しかし、他の実施形態では、パネル２０４の寸法及び／又は形状は、異なっていることが可能であり、それは、それに限定されないが、長方形、正方形、卵形、楕円形、又は、他の規則的なもしくは不規則的な形状を含む。図２では、パネル２０４が、パネル幅２４０及びパネル長さ２４２を有するということがわかる。パネル長さ２４２は、第１の端部２４６から第２の端部２４４へ延在している。いくつかの実施形態では、第２の端部２４４は、リード・ワイヤー２３６に接合されたパネル２０４の領域に関連付けられており、一方、第１の端部２４６は、パネル２０４の実質的に自由な（取り付けられていない）端部に関連付けられている。
【００４３】
そのうえ、パネル２０４は、第１の厚さ２５０を含む。第１の厚さ２５０は、パネル２０４の全体を通して概して一貫していることが可能であり、又は、変化することが可能である。それに加えて、パネル幅２４０、パネル長さ２４２、及び／又は第１の厚さ２５０は、図３〜図１０を参照して下記に議論されることとなるように、物品の中のコンパートメントの中に挿入するように構成され得る。
【００４４】
図２を参照すると、いくつかの実施形態では、制御デバイス２００は、パネル２０４に沿って設けられている１つ以上のボタン２０６を含むことが可能である。ボタン２０６は、任意のタイプのシステム又は他のメカニズムにコマンドを手動で入力又はエンターするように使用され得る。電動式テンショニング・システム１５０を参照して説明されているように、いくつかの実施形態では、ボタン２０６は、たとえば、インクリメンタルに締め付けるコマンド、及び、インクリメンタルに緩めるコマンドを開始させる際に使用され得る。他の実施形態では、追加的なボタンが、開けるコマンド（又は、完全に緩めるコマンド）、テンションを記憶するコマンド、及び、記憶されたテンションに戻るコマンドを含む、任意の他のコマンドを開始させるために含まれ得る。さらなる他の実施形態は、任意の他の種類のコマンドを出すための任意の他のボタンを組み込むことが可能である。異なる実施形態では、レースを締め付けるためのボタン、レースを緩めるためのボタン、及び／又は、他の機能を果たすためのボタンが、物品の上又は中に直接的に位置付けされ得る。この開示の目的のために、ボタンは、ボタン、スイッチ、ノブ、コントロール、レバー、ハンドル、又は、他のそのような制御手段などのような、メカニズムを動作させるために押圧されるか、又はその他の方法で扱われ得る材料又は要素を表している。
【００４５】
そのうえ、異なる実施形態では、それぞれのボタンの底部側が、パネル２０４の上に設けられている対応するオス型の機械的なコネクターを把持して係合するメス型嵌合部分を有するように、ボタン２０６が機械的に構成され得る。いくつかの実施形態では、ボタンの内側表面は、作動突出部を含むことが可能であり、作動突出部は、パネル２０４の中に位置付けされている圧電ボタン又はソレノイド・ボタンを押圧するように設計されている。他の実施形態では、ボタン２０６は、当技術分野で公知の信号を発生させる任意の他の手段を組み込むか、又は利用することが可能である。
【００４６】
上述のように、いくつかの実施形態では、パネル２０４は、１つ以上のボタン２０６を含むことが可能である。図２では、パネル２０４は、第１のボタン２０８、第２のボタン２１０、及び第３のボタン２１２を含む。しかし、他の実施形態では、パネル２０４は、任意の所望の物体もしくは要素、及び／又は、任意の数のボタンを含むことが可能である。そのうえ、それぞれのボタンは、内側部分２３２及び外側部分２３４を含むことが可能である。内側部分２３２は、ボタンの主要な接触部分又は反応部分に関連付けられ得、それは、一般的に、ボタンの中心のより近くに設けられている。外側部分２３４は、内側部分２３２の境界を定めるか、又は、そうでなければ、内側部分２３２のフレームを構成することが可能であり、また、ボタン２０６に対する安定性及び弾性を提供することが可能である。
【００４７】
ボタン２０６は、異なる実施形態では、異なる形状及び／又はサイズを含むことが可能である。たとえば、ボタン２０６は、丸形、正方形、三角形、又は、他の規則的なもしくは不規則的な形状であることが可能である。そのうえ、２つ以上のボタン２０６は、実質的に同様の形状を含むことが可能であり、又は、それぞれのボタンは、別のものとは異なっていることが可能である。例として、第１のボタン２０８は、丸形形状であることが可能であり、一方、第２のボタン２１０は、正方形形状であることが可能であり、第３のボタン２１２は、三角形形状であることが可能である。
【００４８】
図２では、それぞれのボタンは、実質的に丸形形状である。１つの実施形態では、ボタン２０６のそれぞれの内側部分２３２は、直径に関連付けられ得る。たとえば、第１のボタン２０８は、第１の直径２５２を有しており、第２のボタン２１０は、第２の直径２５４を有しており、第３のボタン２１２は、第３の直径２５６を有している。いくつかの実施形態では、第１の直径２５２、第２の直径２５４、及び第３の直径２５６は、図２に示されているように、実質的に同様になっていることが可能であり、ボタン２０６は、パネル２０４を横切って、サイズが概して均一になるようになっている。また、それぞれのボタンの内側部分２３２は、第２の厚さ２４８を含むことが可能であり、第２の厚さ２４８は、外側部分２３４の上方に延在するように生じるか又は設けられているボタンの高さに関連付けられ得る。ボタンに関連付けられた第２の厚さ２４８は、図１１〜図１３を参照して議論されることとなるように、ボタンが押圧されるときに、変化又は減少することが可能であるということが理解されるべきである。そのうえ、異なる実施形態では、第１のボタン２０８、第２のボタン２１０、及び第３のボタン２１２は、互いに対して変化するボタン厚さをそれぞれ含むことが可能である。
【００４９】
他の実施形態では、第１の直径２５２、第２の直径２５４、及び第３の直径２５６は、異なっており、たとえば、特定のボタンに関する視覚フィードバック又は触覚フィードバックをユーザに提供することが可能である。いくつかのケースでは、ボタン２０６は、触覚フィードバック又は視覚フィードバックをユーザに提供するように、異なって形状決め又は寸法決めされ得る。他の実施形態では、変化するボタン形状又はサイズの結果として形成され得る、所望の設計又は審美性が存在することが可能である。そのうえ、それぞれのボタン直径及び／又は厚さは、図５〜図１０を参照してさらに下記に議論されることとなるように、物品の他の構成部品又は部分に整合するように構成され得る。
【００５０】
そのうえ、パネル２０４は、物品の中への制御デバイス２００の挿入又は組み込みを促進させるための設備を含むことが可能である。いくつかの実施形態では、パネル２０４は、制御デバイス２００がリンク接続され又は引っ張られることを許容するために、１つ以上のアパーチャ又は孔部を含むことが可能である。たとえば、図２では、パネル２０４は、第１の孔部２２２及び第２の孔部２２４を有している。異なる実施形態では、第１の孔部２２２及び／又は第２の孔部２２４は、他の要素をループするために把持又は使用され得、制御デバイス２００が物品１００の中の所望の場所に移動又は構成することを助けるようになっている。１つの実施形態では、ワイヤー又は他の引張要素は、第１の孔部２２２及び／又は第２の孔部２２４を把持し、制御デバイス２００のインストレーションの間にコンパートメント３０２を通してパネル２０４を引っ張るために使用され得る。
【００５１】
そのうえ、制御デバイス２００は、制御デバイス２００が物品の中にアンカー又は固定されることを可能にする設備を含むことが可能である。たとえば、パネル２０４は、第１のフック部分２１８及び第２のフック部分２２０を含む、１つ以上のフック部分２１６を含むことが可能である。フック部分２１６は、湾曲した又は屈曲した材料を含むことが可能であり、また、制御デバイス２００の任意の部分に沿って設けられ得る。図２では、フック部分２１６は、パネル２０４の第１の端部２４６に沿って設けられている。いくつかの実施形態では、フック部分２１６は、下記に議論されることとなるように、別の要素を掴むために使用され得、ならびに／又は、物品の中にパネル２０４を固定及び／もしくはアンカーするために使用され得る。
【００５２】
また、制御デバイス２００は、パネル２０４を他の要素に接続するための設備を含むことが可能である。たとえば、パネル２０４とポート２３０との間に延在するように設けられている接続部分２２８が存在することが可能である。いくつかの実施形態では、接続部分２２８は、１つ以上のワイヤーを入れるシース２３８を含むことが可能である。図２では、パネル２０４の第２の端部２４４は、リード・ワイヤー２３６に接合されており、リード・ワイヤー２３６は、シース２３８の中に入れられている。リード・ワイヤー２３６（及び、シース２３８）は、異なる実施形態では、変化する長さのものであることが可能であり、また、制御デバイス２００がその中に載置されることとなるコンパートメント及び／又は物品に応じて調節され得る。それに加えて、１つの実施形態では、接続部分２２８は、ポート２３０を含む。いくつかの実施形態では、ポート２３０は、物品に関連付けられるさまざまな機械的な又は電子的な接点などのような、追加的な要素とのリンク部分又は接触部分を提供することが可能である。
【００５３】
そのうえ、いくつかの実施形態では、制御デバイス２００のパネル２０４及び他の構成部品は、さまざまな材料組成を含むことが可能である。いくつかの実施形態では、パネル２０４は、アッパー１０２よりも高い剛性又は硬度に関連付けられ得る。１つの実施形態では、ボタン２０６及びパネル２０４を含む制御デバイス２００の部分は、プラスチックもしくは金属材料、ポリマー、及び／又は、ポリマー材料から、少なくとも部分的に形成され得る。制御デバイス２００の製造において使用される材料は、改善された電気的な特性もしくは絶縁特性、柔軟性、弾性、重量、耐久性、及び／又はエネルギー効率を有する構成部品を提供することに基づいて選択され得る。
【００５４】
制御デバイス２００を参照して本明細書で説明されている実施形態は、テンショニング・システムを含まない物品とともに使用するために適用可能であり得るということが理解されるべきである。換言すれば、制御デバイス２００は、任意のタイプ又は構成のフットウェア又はアパレルの物品において利用され得る。
【００５５】
図１を参照して上記に述べられているように、異なる実施形態では、物品１００は、アッパー１０２又はソール構造体１０４などのような、フットウェアの物品の中に伝統的に含まれる態様、部分、及び／又は構成部品を含むことが可能である。また、本開示では、他の非伝統的な態様、部分、及び／又は構成部品が、物品１００の製造の間に含まれ得る。いくつかの実施形態では、そのような非伝統的な特徴は、物品１００のさまざまな部分の全体を通して設けられている１つ以上のコンパートメントを含むことが可能である。この開示の目的のために、コンパートメントは、物品１００の別々の又は別個のセクション又は部分を表している。いくつかの実施形態では、コンパートメントは、物品１００の中に設けられているスリーブ状の領域、トンネル、もしくはチュービングを含むことが可能であり、及び／又は、物体、要素、もしくは構成部品を受け入れるように構成されている凹部、キャビティー、ポケット、チャンバー、スロット、ポーチ、もしくは他のスペースを含むことが可能である。いくつかの実施形態では、物品１００の製造の間に、１つ以上のコンパートメントが、下記に議論されることとなるように、物品１００の中に含まれ得る。
【００５６】
図３〜図４を参照すると、ヒール領域１４５に関連付けられた物品１００の一部分が示されており、アッパー１０２の中の内部空洞３１８の図を読者に提供している。いくつかの実施形態では、アッパー１０２は、上記に説明されているように、コンパートメントを含むことが可能である。アッパー１０２の一部分の中に設けられている、コンパートメント３０２の実施形態は、図３〜図４の中の点線によって示されている。１つの実施形態では、コンパートメント３０２は、アッパー１０２の２つ以上の層の間に形成され得る。
【００５７】
それに加えて、図３〜図６に示されているように、いくつかの実施形態では、アッパー１０２は、２つの側部を含むことが可能であり、そのときに、それぞれの側部は、アッパー１０２の概して対向する側部を表している。たとえば、アッパー１０２の外側表面３２１が存在することが可能であり、そのときに、外側表面３２１は、アッパー１０２の外部（外向きに面する）表面の少なくとも一部分を形成するように設けられている。そのうえ、アッパー１０２の内側表面３２０が存在することが可能であり、そのときに、内側表面３２０は、足が内部空洞３１８の中に設けられているときに足に向けて面する、アッパー１０２の表面である。異なる実施形態において、外側表面３２１と内側表面３２２との間に設けられている１つ以上の材料の層が存在することが可能であるということが理解されるべきである。
【００５８】
いくつかの実施形態では、コンパートメント３０２は、アッパー１０２の一部分に沿って設けられているスリーブ状の領域を含むことが可能である。コンパートメント３０２は、トンネル３７５を一緒に形成する１つ以上のアッパー層によって、少なくとも部分的に境界を定められ得る。コンパートメント３０２は、スロット３３０を追加的に含むことが可能であり、スロット３３０は、トンネル３７５の内部へのアクセスを提供することが可能であるということが理解されるべきである。１つの実施形態では、スロット３３０は、図２の制御デバイス２００などのような、構成部品の挿入の後に固定されるか、又は実質的に閉じられ得る。
【００５９】
いくつかの実施形態では、トンネル３７５は、アッパー１０２の第１の層３５０と第２の層３６０との間に形成され得る。いくつかの実施形態では、第１の層３５０は、アッパー１０２の最も内側の層（すなわち、内側表面３２０）からなることが可能である。いくつかの実施形態では、第２の層３６０は、アッパー１０２の最も外側の層（すなわち、外側表面３２１）からなることが可能である。しかし、他の実施形態では、第１の層３５０及び／又は第２の層３６０は、アッパー１０２の追加的な層に隣接して設けられ得る。したがって、いくつかの実施形態では、第１の層３５０は、アッパー１０２の最も内側の層からならなくてもよい。同様に、第２の層３６０は、いくつかの実施形態では、アッパー１０２の最も外側の層からならなくてもよい。換言すれば、異なる実施形態では、アッパー１０２は、異なる領域に設けられ、異なる材料を含み得る、コンパートメントを有することが可能である。
【００６０】
図４を参照すると、異なる実施形態では、物品１００は、制御デバイス２００に関連して使用され得る、さまざまな構成部品、デバイス、又は要素を含むことが可能である。換言すれば、制御デバイス２００は、テンショニング・システムの一部として動作するように、及び／又は、物品１００に関連付けられる追加的な構成部品に接続するように構成され得る。たとえば、上述のように、物品１００は物品１００の１つ以上の領域の全体を通して設けられている、さまざまな機械的な又は電子的な接点を含むことが可能である。したがって、いくつかの実施形態では、コンパートメント３０２の中への制御デバイス２００の挿入の前又は後に、制御デバイス２００は、接続要素に接合もしくは取り付けられ得、又は、その他の方法でリンク接続され得る。いくつかのケースでは、ポート２３０（図２を参照）は、物品１００の中の１つ以上の接続要素との接続を形成することが可能である。しかし、また、制御デバイス２００のインストレーションは、物品１００の要素への任意の事前の接続又は後の接続なしに起こることが可能であるということが理解されるべきである。
【００６１】
図４に示されているように、いくつかの実施形態では、制御デバイス２００の少なくとも一部分は、アッパー１０２のさまざまな層の取り外しを必要とすることなく、又は、アッパー１０２のさまざまな層への損傷を必要とすることなく、アッパー１０２のトンネル３７５の中へ容易にスライド又は挿入され得る。いくつかの実施形態では、このプロセスは、スロット３３０を含むことによって促進させられ得、スロット３３０は、制御デバイス２００の一方の端部の進入を受容するようにサイズ決めされ得る。パネル２０４は、挿入されると、トンネル３７５の長さの全体を通して案内され得る。異なる実施形態では、トンネル３７５の長さ又は他の寸法は、制御デバイス２００を収容するように、及び／又は、ユーザにとっての物品の快適性を妨げない様式で制御デバイス２００の挿入を可能にするように、調節又は構成され得る。
【００６２】
いくつかの実施形態では、図２に参照して上記に述べられているように、第１の孔部２２２及び／又は第２の孔部２２４は、他の要素又は構成部品（たとえば、ガイディング・ケーブル、ループ、又はフックなど）とともに使用され、スロート開口部１３２のより近位の場所に向けてパネル２０４を移動させることが可能である。パネル２０４の所望の位置に到達すると、フック部分２１６（図２を参照）は、制御デバイス２００をアンカー又は固定するために使用され得る。たとえば、第１のフック部分２１８及び／又は第２のフック部分２２０（図２に示されている）は、アッパー１０２の一部分に接触することが可能であり、また、フック部分２１６の湾曲に起因して、アッパー１０２の一部分に引っ掛かるか、又は、その他の方法で接続することが可能である。
【００６３】
いくつかの実施形態では、パネル２０４は、アッパー１０２の内側１６５又は外側１８５のいずれかに沿って設けられ得るということが理解されるべきである。そのうえ、他の実施形態では、パネル２０４は、内側１６５及び外側１８５の両方に沿って延在する様式で設けられ得、また、フォアフット領域１０５、ミッドフット領域１２５、及びヒール領域１４５のいずれかの中に位置付けされ得る。
【００６４】
提案されている実施形態のさらなる理解を読者に提供するために、インストレーション・プロセスの追加的な図が、図５及び図６に示されている。図５及び図６では、アッパー１０２の２つの等角側面図が示されている。アッパー１０２は、一連の点線によって図示されており、一方、コンパートメント３０２は、実線で示されている。上述のように、いくつかの実施形態では、トンネル３７５の寸法は、制御デバイス２００の固定及び／又はぴったりとした受け入れのために、設計又は構成され得る。図５では、トンネル３７５は、一般的に、パネル２０４のパネル幅２４０（図２を参照）よりも大きい直径を含む。そのうえ、図２に示されているようなパネル長さ２４２は、トンネル３７５に関連付けられる長さよりも小さくなっていることが可能である。換言すれば、トンネル３７５は、制御デバイス２００の少なくとも一部分を少なくとも部分的に包含又は保持するように寸法決めされ得る。いくつかの実施形態では、たとえば、トンネル３７５の長さは、パネル長さ２４２よりもわずかにだけ大きくなっていることが可能であり、実質的にぴったりとしたフィットが、パネル２０４とトンネル３７５との間に形成されるようになっている。しかし、他の実施形態では、制御デバイス２００又はコンパートメント３０２のいずれかの寸法は、異なっていることが可能であり、一方が他方とは実質的に異なるようになっている。たとえば、アッパー１０２の中へ組み込まれるシース２３８の部分の長さ及びサイズに応じて、トンネル３７５は、制御デバイス２００に関連付けられる配線を収容するように延在することが可能である。
【００６５】
いくつかの実施形態では、インストレーションのときにユーザによって制御デバイス２００がより容易に利用されることを可能にする様式で、アッパー１０２を構成させることが可能であり得る。いくつかの実施形態では、コンパートメント３０２は、制御デバイス２００に関連付けられるボタン又は他の制御メカニズムへのアクセスを可能にするための設備を含むことが可能である。図５及び図６では、たとえば、アパーチャ５００は、甲領域１１０に沿ってアッパー１０２の中に形成されることを見ることが可能である。第１のアパーチャ５８２、第２のアパーチャ５６４、及び第３のアパーチャ５６６を含む、アパーチャ５００が示されている。いくつかの実施形態では、制御デバイス２００がアッパー１０２の中に載置されるときに、第１のアパーチャ５６２は、第１のボタン２０８に整合させられ得、第２のアパーチャ５６４は、第２のボタン２１０に整合させられ得、第３のアパーチャ５６６は、第３のボタン２１２に整合させられ得る。したがって、パネル２０４がアパーチャ５００に対応するように位置決めされているときに、第１のボタン２０８の少なくとも一部分は、第１のアパーチャ５６２によって提供される開口部を通して露出され、第２のボタン２１０の少なくとも一部分は、第２のアパーチャ５６４によって提供される開口部を通して露出され、第３のボタン２１２の少なくとも一部分は、第３のアパーチャ５６６によって提供される開口部を通して露出される。換言すれば、コンパートメント３０２に関連付けられるアッパー１０２の部分は、載置された構成部品の少なくとも一部分との接触を可能にする、露出されたエリア又はギャップを含むことが可能である。したがって、異なる実施形態では、ユーザによる制御デバイス２００との相互作用を許容することができる、物品１００の全体を通して含まれた設備に適合又は一貫する方式で、パネル２０４は、コンパートメント３０２の中に設けられ得る。そのうえ、ボタン２０６のアライメントは、図７〜図１０を参照して下記に議論されることとなるように、制御デバイス２００に沿って、追加的な構成部品又は要素のインストレーションを促進させることが可能である。
【００６６】
ここで図７を参照すると、アッパー１０２の一部分（具体的には、コンパートメント３０２に関連付けられたアッパー１０２の一部分）の中の制御デバイス２００の一部分の分解等角図が示されている。図７及び図８では、トンネル３７５を含むコンパートメント３０２の部分が、第１の層３５０及び第２の層３６０に沿って、一連の点線によって図示されている。ボタン２０６を備えたパネル２０４が、第１の層３５０と第２の層３６０との間に設けられていることが示されている。
【００６７】
異なる実施形態では、制御デバイス２００は、増加した保護、耐久性、ユーサビリティ、快適性、審美性、及び／又は機能性を制御デバイス２００に提供することができる、追加的な要素に関連付けられ得る。たとえば、１つ以上のボタン２０６は、コーティング、蓋、カバー、キャップ、シールド、ベニヤ、又は、他のタイプの層に接合され得る。１つの実施形態では、カバーは、ボタン２０６の上に載置され得、ボタン２０６に接合され得、又は、ボタン２０６の上に設けられ得る。図７では、第１のカバー７０２、第２のカバー７０４、及び第３のカバー７０６を含む、一連のカバー７００が示されている。いくつかの実施形態では、カバー７００は、形状がボタン２０６と実質的に同様になっていることが可能である。しかし、他の実施形態では、カバー７００は、望まれる機能性及び／又は外観に応じて、異なって形状決めされ得る。
【００６８】
図５及び図６を参照して示されているように、アパーチャ５００が、第１の層３５０のいくつかのエリアの中に形成されている。組み立ての前に、カバー７００、アパーチャ５００、及びボタン２０６は、それらが互いに概して整合させられるように配置され得るということがわかる。具体的に図７を参照すると、第１のボタン２０８、第１のアパーチャ５６２、及び第１のカバー７０２が、概して整合させられ、第２のボタン２１０、第２のアパーチャ５６４、及び第２のカバー７０４が整合させられ、また、第３のボタン２１２、第３のアパーチャ５６６、及び第３のカバー７０６が整合させられる。
【００６９】
そのうえ、それぞれの整合させられたカバー、アパーチャ、及びボタンのサイズは、相関させられ得、及び／又は、いくつかの実施形態では、実質的にマッチすることが可能である。換言すれば、制御デバイス２００、アッパー１０２、及び、カバー７００などのような要素は、物品の中のより容易なインストレーションを可能にする寸法を含むことが可能である。たとえば、図７では、第３のボタン２１２は、第３の直径２５６に関連付けられており、第３のアパーチャ５６６は、アパーチャ直径７５６に関連付けられており、また、第３のカバー７０６は、カバー直径７６６に関連付けられている。いくつかの実施形態では、それぞれの直径は、構成部品間のフィット性を増加することを可能にするように、及び／又は、物品との組み立てプロセスを合理化するように選択され得る。したがって、図７に示されているように、第３の直径２５６は、カバー直径７６６よりも小さくなっていることが可能であり、第３のカバー７０６が第３のボタン２１２の全体を包含することができるようになっている。そのうえ、カバー直径７６６は、いくつかの実施形態では、アパーチャ直径７５６よりも小さくなっていることが可能であり、第３のカバー７０６が第３のアパーチャ５６６の中へ容易に挿入され得るようになっている。しかし、他の実施形態では、アパーチャ直径７５６は、カバー直径７６６よりも小さくなっていることが可能であり、第３のカバー７０６が第３のボタン２１２に接合されるときに、アッパー１０２の中の第３のカバー７０６との間のよりしっかりとした又は確実なフィットを可能にする。同様に、第第３のボタン２１２の第３の直径２５６は、いくつかの実施形態では、カバー直径７６６又はアパーチャ直径７５６のいずれかよりも大きくなっていることが可能である。
【００７０】
異なる実施形態では、カバー７００は、アッパー１０２の中へのパネル２０４の挿入及び／又は組み込みの後に、制御デバイス２００に適用され得る。たとえば、図８を参照すると、パネル２０４は、コンパートメント３０２の中に載置されて示されている。パネル２０４は、トンネル３７５の中に挿入されており、トンネル３７５は、点線によって示されている領域に沿って一緒に接合された第１の層３５０及び第２の層３６０の一部分から形成されている。内側部分２３２に関連付けられるボタン２０６の一部分は、外側部分２３４に関連付けられるいくつかの部分と同様に、アパーチャ５００を通して見ることができる。したがって、第１のボタン２０８は、第１のアパーチャ５６２を通して少なくとも部分的に露出されており、第２のボタン２１０は、第２のアパーチャ５６４を通して少なくとも部分的に露出されており、また、第３のボタン２１２は、第３のアパーチャ５６６を通して少なくとも部分的に露出されている。そのうえ、第１のカバー７０２は、パネル２０４の上方に示されており、第１のアパーチャ５６２に概して整合させられており、第２のカバー７０４は、パネル２０４の上方に示されており、第２のアパーチャ５６４に概して整合させられており、また、第３のカバー７０６は、パネル２０４の上方に示されており、第３のアパーチャ５６６に概して整合させられている。
【００７１】
パネル２０４に沿って、カバー７００のインストレーションをより良好に図示するために、図９及び図１０は、パネル２０４の中の第１のカバー７０２及び第１のボタン２０８の側断面図を示している。図９では、第１のカバー７０２は、インストレーションの前に、第１のボタン２０８の上方に示されている。第１のカバー７０２は、中央部分９０２及びリム部分９０４を含む。中央部分９０２は、いくつかの実施形態では、リム部分９０４によって境界を定められ得る。そのうえ、リム部分９０４は、中央部分９０２の周りに設けられており、第１のカバー７０２の中に凹部９０６を形成することが可能である。第１のカバー７０２が第１のアパーチャ５６２の中へ挿入されるときに、リム部分９０４が第１の層３５０に接触することが可能である。力９１０が印加され、第１のカバー７０２を押し、第１のカバー７０２と制御デバイス２００を接続するときに、リム部分９０４は、第１のアパーチャ５６２に進入するために、撓み、屈曲し、又はその他の方法で変形することが可能である。
【００７２】
図１０を参照すると、第１のカバー７０２が第１のボタン２０８の上方に載置されていることがわかる。いくつかの実施形態では、リム部分９０４は、第１のボタン２０８の一部分に接触することが可能である。他の実施形態では、リム部分９０４は、第１の層３５０及び／又は第２の層３６０の一部分に接触することが可能である。したがって、１つの実施形態では、第１のカバー７０２と第１のボタン２０８と機械的に接合するために、力が印加され得る。異なる実施形態では、カバーを載置し、又は、カバーとパネル２０４を接合する任意の他の手段が利用され得、それは、結合、接着剤、化学的な成形、溶着、縫い合わせ、又は、任意の他の手段を含む。そのうえ、他の実施形態では、ボタンが、事前に載置されたカバーとともに製造され得、物品の中への制御デバイス２００の挿入の前に、カバーがボタンに接合されるようになっているということが理解されるべきである。
【００７３】
ここで図１１を参照すると、物品１００は、制御デバイス２００が載置された状態で図示されている。図１１では、物品１００のアッパー１０２及びソール構造体１０４が、実線で示されており、一方、制御デバイス２００及びコンパートメント３０２が、点線で示されている。ユーザ１１００は、制御デバイス２００を利用することができ、物品１００のさまざまな機能と相互作用し、係合し、それらを動作させ、及び／又は、活性化させることが可能である。いくつかの実施形態では、機能は、図１を参照して説明されているように、テンショニング・システム１５０の異なる態様を含むことが可能である。制御デバイス２００と相互作用するために、ユーザは、パネル２０４の一部分に接触し、及び／又は、パネル２０４の一部分に対して力を働かせることが可能である。図１１では、ユーザ１１００の人差し指が、第２のボタン２１０に適用されている。
【００７４】
図１２では、アッパー１０２の中の載置されているときの制御デバイス２００のパネル２０４の実施形態の側断面図が示されており、対応するカバー７００とともにボタン２０６を示している。ここで図１３を参照すると、力１３００が第２のカバー７０４に印加されているときに、第２のカバー７０４の表面は変形することが可能である。変形の結果として、第２のカバー７０４の一部分は、第２のボタン２１０の一部分に接触することが可能である。第２のカバー７０４と第２のボタン２１０との間の接触、及び／又は、力１３００によって働かされる圧力は、信号を引き起こすことが可能であり、又は、そうでなければ、パネル２０４の要素の中の変化を作り出すことが可能であり、それは、制御デバイス２００又は他のシステムによって認識される。したがって、いくつかの実施形態では、ボタン２０６は、人によって使用され、制御デバイス２００、及び、制御デバイス２００に関連付けられたシステムと相互作用することが可能である。
【００７５】
異なる実施形態では、ユーザ１１００が制御デバイス２００に係合しているときに、さまざまな異なる動作が、活性化又は無効化され得る。詳細な説明の全体を通して、及び、特許請求の範囲の中に、テンショニング・システムのさまざまな動作モード又は構成が、図示の目的のために説明されている。これらの動作モードは、テンショニング・システム自体の状態を表すことが可能であり、また、テンショニング・システムの個々のサブシステム及び／又は構成部品の動作モードを表すことが可能である。例示的なモードは、「インクリメンタルに締め付けるモード」、「インクリメンタルに緩めるモード」、及び、「完全に緩める」モードを含む。後半の２つのモードは、「インクリメンタルな解放モード」及び「完全な解放モード」とも称され得る。インクリメンタルに締め付けるモードでは、テンショニング・システムは、レース又は他の引張要素をインクリメンタルに（又は、徐々に）締め付けるか、又は、レース又は他の引張要素のテンションを増加させる様式で、動作することが可能である。インクリメンタルに緩めるモードでは、電動式締め付けデバイスは、引張要素の中のテンションをインクリメンタルに（又は、徐々に）緩めるか、又は、引張要素の中のテンションを解放する様式で、動作することが可能である。完全な解放モードでは、ユーザが自分の足を物品から容易に引き出すことができるレベルまで、システムによってレースに印加されるテンションが実質的に低減されるような様式で、テンショニング・システムは動作することが可能である。これは、インクリメンタルな解放モードとは対照的であり、インクリメンタルな解放モードでは、システムは、引張要素に関して、現在のテンションに対して、より低いテンションを実現するように動作するが、必ずしも、引張要素からテンションを完全に除去するように動作するわけではない。そのうえ、完全な解放モードは、ユーザが物品を取り外すことができるように、レース又は引張要素・テンションを急速に解放するために利用され得るが、インクリメンタルな解放モードは、ユーザが所望の量のテンションを探すときに、レース・テンションに対して小さい調節を行うために利用され得る。他の動作モードも可能であり得る。
【００７６】
再び図１１〜図１３を参照すると、いくつかの実施形態では、ユーザ１１００は、制御デバイス２００を使用し、制御コマンドを開始させることが可能である。制御コマンドのいくつかの例は、それに限定されないが、左／右のシューズ選択、インクリメンタルに締め付ける、インクリメンタルに緩める、開ける／完全に緩める、テンションを記憶する、及び、テンションを呼び戻す／回復させる、を含むことが可能である。たとえば、１つの実施形態では、第１のボタン２０８及び第２のボタン２１０は、フットウェアの物品（すなわち、左又は右）を選択するために使用され得、それは、制御コマンドを受け入れて応答することとなる。いくつかの実施形態では、第１のボタン２０８又は第２のボタン２１０のいずれかが選択され得るが、両方ともが同時に選択されなくてもよい。他のケースでは、第１のボタン２０８及び第２のボタン２１０の両方を同時に選択することが可能であり得、ユーザが両方の物品を同時に締め付ける、緩める、開ける、又は、他のある機能を開始させることを可能にする。別の例では、第３のボタン２１２は、テンショニング・システム１５０の「インクリメンタルに締め付ける」コマンドを開始させるために使用され得る。
【００７７】
また、いくつかの実施形態では、制御デバイス２００は、好適なテンション設定を記憶及び使用するための設備を含むことが可能である。１つの実施形態では、第１のボタン２０８が使用され、たとえば、第１のボタン２０８が押圧されている持続期間に応じて、「現在のテンションを記憶する」コマンド、及び／又は、「記憶されたテンションに戻る」コマンドを開始させることが可能である。さらなる他の実施形態は、複数のテンション設定を記憶するための設備を含むことが可能である。たとえば、ユーザは、スポーツをするために、よりきついフィット感を好む可能性があり、また、カジュアルな活動のために、より緩いフィット感を好む可能性がある。そのようなケースでは、制御デバイス２００は、ユーザが、少なくとも２つの異なるレース・テンションの好みに対応する、２つ以上のテンション設定を記憶することを可能にすることができる。単一のアイテムの一部であろうと、１対のシューズなどのような複数のアイテムであろうと、テンショニング・システム１５０に関するテンションの記憶又は呼び戻しは、制御デバイス２００によって出される単一のコマンドによって、又は、一連の制御コマンドによって、実施され得るということを、当業者は理解する。
【００７８】
いくつかのケースでは、この物品１００をインクリメンタルに緩めること、又は、インクリメンタルに締め付けることは、離散的な工程で起こることが可能であり、着用者がボタン（たとえば、第１のボタン２０８）を押圧するたびに、引張要素が所定の量だけ緩めたり締めたり（ｌｅｔ  ｏｕｔ  ｕｐ）されるようになっている（たとえば、所定の角度にわたって、電動式テンショニング・デバイスの中のスプールを回転させることによって）。他のケースでは、このインクリメンタルに緩めることは、着用者が第１のボタン２０８にタッチし続ける限り、連続的な様式で起こることが可能である。いくつかのケースでは、緩める速度は、システムが締め付けの好適なレベルを通り過ぎないように設定され得（すなわち、システムは、きつ過ぎる状態と、十分にきつくはない状態との間で速く移動しすぎない）、同時に、物品１００を完全に緩めるための過度に長い時間を回避するのに十分に大きくなっている。この配置によって、ユーザ１１００は、アッパー１０２のための締め付けの好適なレベルが実現されるまで、（インクリメンタルに締め付けるモード、及び、インクリメンタルに緩めるモードを使用して）物品１００の全体を通してテンションを増加及び減少させ続けることが可能である。
【００７９】
異なる実施形態では、本明細書で説明されている構成部品のいずれかは、アッパー及び／又はソール構造体のさまざまな領域を含む、物品の任意の他の部分の中に設けられ得る。いくつかのケースでは、いくつかの構成部品・パーツ（たとえば、リード・ワイヤーなど）が、物品の１つの部分の中に設けられ得、他の構成部品・パーツ（たとえば、パネルなど）が、別の異なる部分の中に設けられ得る。１つ以上の構成部品・パーツの場所は、それに限定されないが、サイズの制約、製造の制約、審美的な好み、最適な設計及び機能的な設置、取り外しやすさ、又は、物品の他の部分へのアクセスしやすさ、ならびに、場合によっては他の要因を含む、さまざまな要因にしたがって選択され得る。
【００８０】
本明細書で説明されている実施形態及び特徴は、電動式テンショニング・デバイス又はテンショニング・システムを動作させるための特定のユーザ・インターフェース又はアプリケーションに限定されないということが理解されるべきである。そのうえ、ここでの実施形態は、例示的なものであることが意図されており、他の実施形態は、任意の追加的な制御ボタン、インターフェース設計、及びソフトウェア・アプリケーションを組み込むことが可能である。さまざまな動作コマンドを開始させるための制御ボタンは、さまざまな要因、すなわち、使いやすさ、設計者の審美的な好み、ソフトウェア設計コスト、システムの動作特性、及び、場合によっては他の要因にしたがって選択され得る。そのうえ、アパレル（たとえば、シャツ、パンツ、フットウェア）を含む、さまざまな製品は、本明細書で説明されている制御デバイスの実施形態、ならびに、他のタイプの物品、たとえば、ベッド・カバー、テーブル・カバー、タオル、フラグ、テント、セイル、及びパラシュートなどを組み込むことが可能であり、又は、自動車用途及び航空宇宙用途、フィルター材料、医療用テクスタイル、ジオテクスタイル、アグロテクスタイル、及び産業用アパレルを含む、産業用目的を備えた物品を組み込むことが可能である。
【００８１】
本明細書で説明されている制御デバイスならびに組み立て及びインストレーションの方法はさまざまな製品において利用され得るが、以下の議論は、制御デバイスを組み込むアパレルの他の物品の例を提供する。すなわち、図１４〜図１６を参照した以下の議論は、制御デバイスがシャツ１４００、１対のパンツ１５００、及びグローブ１６００の中へ組み込まれ得る、いくつかの方式を実証している。
【００８２】
図１４を参照すると、第１の例では、シャツ１４００が示されている。シャツ１４００は、第１の制御デバイス１４０２、第２の制御デバイス１４０４、第３の制御デバイス１４０６、及び第４の制御デバイス１４０８を含む。図示の目的のために、それぞれの制御デバイスは、シャツ１４００の異なる領域の中に設けられて示されている。図１４では、例として、第１の制御デバイス１４０２は、カラー領域１４１０の中に位置付けされており、第２の制御デバイス１４０４は、ショルダー部領域の近くに位置付けされており、第３の制御デバイス１４０６は、スリーブの縁部に沿って位置付けされており、また、第４の制御デバイス１４０８は、シャツ１４００の胴の底縁部に沿って位置付けされている。シャツ１４００の中への制御デバイスの組み込みをより良好に図示するために、カラー領域１４１０の拡大図１４９０が示されている。カラー領域１４１０では、第１の制御デバイス１４０２が、カラー領域１４１０を含む材料の層の中に形成された第１のコンパートメント１４５０の中に示されている。３つのボタン１４２０を見ることができ、それは、パネル１４３０に沿って設けられている。したがって、シャツ１４００の着用者は、さまざまな制御デバイスにアクセスすることができ、また、１つ以上のボタン１４２０と容易に相互作用することが可能である。制御デバイスは、ＬＥＤ、温度制御、引張要素、及び／又は、シャツ１４００に関連付けられた任意の他のデバイス、ならびに、他のリモート・メカニズム（すなわち、シャツ１４００の中に設けられていないメカニズム）などのような、シャツ１４００の中のさまざまな機能に接続し、及び／又は、シャツ１４００の中のさまざまな機能を動作させることが可能である。
【００８３】
ここで図１５を参照すると、パンツ１５００が示されている。パンツ１５００は、第５の制御デバイス１５０２及び第６の制御デバイス１５０４を含む。図示の目的のために、それぞれの制御デバイスは、パンツ１５００の異なる領域の中に設けられて示されている。図１５では、例として、第５の制御デバイス１５０２は、ベルト領域１５１０の中に位置付けされており、第６の制御デバイス１５０４は、ポケット領域に沿って位置付けされている。パンツ１５００の中への制御デバイスの組み込みをより良好に図示するために、ベルト領域１５１０の拡大図１５９０が示されている。ベルト領域１５１０の中において、第５の制御デバイス１５０２が、ベルト領域１５１０を含む材料の層の中に形成された第２のコンパートメント１５５０の中に示されている。３つのボタン１５２０を見ることができ、それは、パネル１５３０に沿って設けられている。したがって、パンツ１５００の着用者は、さまざまな制御デバイスにアクセスすることができ、また、ボタン１５２０と容易に相互作用することが可能である。図１４のシャツ１４００と同様に、制御デバイスは、ＬＥＤ、温度制御、引張要素、及び／又は、パンツ１５００に関連付けられた任意の他のデバイス、ならびに、他のリモート・メカニズム（すなわち、パンツ１５００の中に設けられていないメカニズム）などのような、パンツ１５００に関連付けられたシステムのさまざまな機能に接続し、及び／又は、パンツ１５００に関連付けられたシステムのさまざまな機能を動作させることが可能である。
【００８４】
他の実施形態では、制御デバイスが、他の物品の中に設けられ得る。図１６を参照すると、グローブ１６００が示されている。グローブ１６００は、第７の制御デバイス１６０２を含む。図１６では、例として、第７の制御デバイス１６０２が、手背部（手の背面）に関連付けられたグローブ１６００のアッパー部分に沿って位置付けされており、それは、対応する（反対側の）手による容易なアクセスを提供することが可能である。グローブ１６００の中への制御デバイスの組み込みをより良好に図示するために、拡大図１６９０が含まれており、グローブ１６００を含む材料の層の中に形成された第３のコンパートメント１６５０の中に設けられている第７の制御デバイス１６０２を示している。３つのボタン１６２０を見ることができ、それは、パネル１６３０に沿って設けられている。したがって、グローブ１６００の着用者は、さまざまな制御デバイスにアクセスすることができ、また、ボタン１６２０と容易に相互作用することが可能である。図１４のシャツ１４００及び図１５のパンツ１５００と同様に、制御デバイスは、ＬＥＤ、温度制御、引張要素、及び／又は、グローブ１６００に関連付けられた任意の他のデバイス、ならびに、他のリモート・メカニズム（すなわち、グローブ１６００の中に設けられていないメカニズム）などのような、グローブ１６００の中のさまざまな機能に接続し、及び／又は、グローブ１６００の中のさまざまな機能を動作させることが可能である。
【００８５】
本明細書で示されている制御デバイスは、異なる方式で載置され得るということが理解されるべきである。図示の目的のために、図１７は、フットウェアの物品又はアパレルの物品の中に制御デバイスを載置する１つの方法を示すフローチャートを提供している。１つの実施形態では、インストレーションの方法は、制御デバイスを物品と関連付ける第１の工程１７１０を含むことが可能である。異なるケースでは、物品は、上記に議論されているように、コンパートメントとともに製造され得る。第２の工程１７２０では、制御デバイスのパネルは、物品の一部分の中に形成されたスロットの中へ挿入され得る。第３の工程１７３０は、物品の中に形成されたコンパートメントの中にパネルが設けられるように、スロットを通してパネルを移動させる工程からなることが可能である。第４の工程１７４０では、パネルの上に設けられている少なくとも１つのボタンが、アッパーの上に形成された少なくとも１つのアパーチャに整合させられ得る。他の実施形態では、他の工程は、制御デバイスのポートを物品の中の接続要素と接続する工程を含むことが可能である。また、いくつかの実施形態では、少なくとも１つのボタン・カバーが、パネルの上に載置され得る。そのうえ、上記に議論されているように、いくつかのケースでは、パネルは、パネルに沿って形成されたフック部分を使用して、コンパートメントの中にアンカー又は固定され得る。他の実施形態では、スロットを通してパネルを移動させることは、パネルの中に形成された孔部を把持すること、及び、引張要素を使用してコンパートメントを通してパネルを案内することをさらに含む（図２を参照して議論されているように）。
【００８６】
そのうえ、本明細書で説明されている実施形態は、また、「フットウェアの物品、及び、フットウェアの物品の組み立ての方法（Ａｎ  Ａｒｔｉｃｌｅ  ｏｆ  Ｆｏｏｔｗｅａｒ  ａｎｄ  ａ  Ｍｅｔｈｏｄ  ｏｆ  Ａｓｓｅｍｂｌｙ  ｏｆ  ｔｈｅ  Ａｒｔｉｃｌｅ  ｏｆ  Ｆｏｏｔｗｅａｒ）」という標題の＿に公開された米国特許出願公開第＿号（以前に２０１５年５月２８に出願された米国特許出願第＿号）（現在の代理人整理番号５１−４８３５）、「制御デバイスのためのロックアウト・フィーチャ（Ａ  Ｌｏｃｋｏｕｔ  Ｆｅａｔｕｒｅ  ｆｏｒ  ａ  Ｃｏｎｔｒｏｌ  Ｄｅｖｉｃｅ）」という標題の＿に公開された米国特許出願公開第＿号（以前に２０１５年５月２８に出願された米国特許出願第＿号）（現在の代理人整理番号５１−４８３６）、「フットウェアの物品のための充電システム（Ａ  Ｃｈａｒｇｉｎｇ  Ｓｙｓｔｅｍ  ｆｏｒ  ａｎ  Ａｒｔｉｃｌｅ  ｏｆ  Ｆｏｏｔｗｅａｒ）」という標題の＿に公開された米国特許出願公開第＿号（以前に２０１５年５月２８に出願された米国特許出願第＿号）（現在の代理人整理番号５１−４８３８）、及び、「フットウェアの物品のためのソール・プレート（Ａ  Ｓｏｌｅ  Ｐｌａｔｅ  ｆｏｒ  ａｎ  Ａｒｔｉｃｌｅ  ｏｆ  Ｆｏｏｔｗｅａｒ）」という標題の＿に公開された米国特許出願公開第＿号（以前に２０１５年５月２８に出願された米国特許出願第＿号）（現在の代理人整理番号５１−４８３９）からの技法、概念、特徴、要素、方法、及び／又は構成部品を含むか、又は、それらを表すことが可能であり、それぞれの出願の全体を、参照により本願明細書に援用する。
【００８７】
さまざまな実施形態が説明されてきたが、説明は、限定するというよりもむしろ、例示的であるということが意図されており、本実施形態の範囲の中にある、より多くの実施形態及び実装形態が可能であるということが当業者に明らかになることとなる。特徴の多くの可能な組み合わせが、添付の図に示されており、この詳細な説明の中で議論されているが、開示されている特徴の多くの他の組み合わせが可能である。任意の実施形態の任意の特徴は、具体的に制限されていなければ、任意の他の実施形態の中の任意の他の特徴又は要素と組み合わせて使用され得、又は、それと代替され得る。したがって、本開示において示され、及び／又は議論されている特徴のいずれかは、任意の適切な組み合わせで一緒に実装され得るということが理解されることとなる。したがって、添付されている特許請求の範囲及びその均等物の観点を除いて、実施形態は、制限されるべきではない。また、さまざまな修正及び変化が、添付されている特許請求の範囲の中で行われ得る。
【００８８】
疑義を避けるために記すと、本開示は、以下の付番された段落又は「項」の主題に拡張する。
項１．
アッパー及びソール構造体と、
制御デバイスであって、制御デバイスは、パネルからなる、制御デバイスと、
からなるフットウェアの物品であって、
アッパーは、第１の表面及び第２の表面からなり、コンパートメントが、第１の表面の一部分と第２の表面の一部分との間に形成されており、
第１の表面は、１つ以上のアパーチャからなり、１つ以上のアパーチャは、第１のアパーチャを含み、
パネルは、１つ以上のボタンを含み、１つ以上のボタンは、第１のボタンを含み、
パネルは、コンパートメントの中に設けられており、
第１のボタンは、第１のアパーチャと整合させられている、フットウェアの物品。
【００８９】
第１及び第２の表面は、物品の層であることが可能である。
項２．
第１の表面は、アッパーの最も外側の表面である、項１に記載のフットウェアの物品。
【００９０】
項３．
コンパートメントは、第１の表面と第２の表面との間に形成されたトンネルからなる、項１又は２に記載のフットウェアの物品。
【００９１】
項４．
コンパートメントは、スロットをさらに含み、スロットは、少なくともパネルの第１の縁部を受け入れるように構成されている、項１乃至３のいずれか１項に記載のフットウェアの物品。
【００９２】
項５．
第１のボタン・カバーをさらに含み、第１のボタン・カバーは、第１のボタンに隣接して設けられている、項１乃至４のいずれか１項に記載のフットウェアの物品。
【００９３】
項６．
制御デバイスは、フットウェアの物品に関連付けられた電動式テンショニング・システムにコマンドを送信するために構成されている、項１乃至５のいずれか１項に記載のフットウェアの物品。
【００９４】
項７．
コンパートメントは、アッパーの甲領域に沿って位置付けされている、項１乃至６のいずれか１項に記載のフットウェアの物品。
【００９５】
項８．
第１の表面及び第２の表面であって、第１の表面は、第２の表面とは別々の材料の部分からなる、第１の表面及び第２の表面と、
制御デバイスであって、制御デバイスは、パネルからなる、制御デバイスと、
第１の表面と第２の表面との間に形成されているコンパートメントと、
からなるアパレルの物品であって、
第１の表面は、１つ以上のアパーチャからなり、１つ以上のアパーチャは、第１のアパーチャを含み、
パネルは、１つ以上のボタンを含み、１つ以上のボタンは、第１のボタンを含み、
パネルは、コンパートメントの中に設けられており、
第１のボタンは、第１のアパーチャを通して露出されている、アパレルの物品。
【００９６】
項９．
パネルは、フック部分をさらに含み、フック部分は、コンパートメントの中にパネルを固定することを助けるように構成されている、項８に記載のアパレルの物品。
【００９７】
フック部分は、コンパートメントの中にパネルを固定するように構成され得る。フック部分は、別の要素を掴むように構成され得、ならびに／又は、物品の中にパネルを固定及び／もしくはアンカーするように構成され得る。フック部分は、物品の一部分に引っ掛かるか、又は、その他の方法で物品の一部分に接続するように、湾曲していることが可能である。
【００９８】
項１０．
パネルは、実質的に２次元の材料から構成されている、項８又は９に記載のアパレルの物品。
【００９９】
項１１．
第１のボタンの形状、及び、第１のアパーチャの形状は、実質的に同様である、項８乃至１０のいずれか１項に記載のアパレルの物品。
【０１００】
項１２．
制御デバイスは、ポートとの接続部分をさらに含み、ポートは、物品に関連付けられた接続要素と制御デバイスを接合するように構成されている、項８乃至１１のいずれか１項に記載のアパレルの物品。
【０１０１】
接続要素は、物品の一部であることが可能であり、又は、物品及び接続要素は、２つの別々の構成部品であることが可能である。
項１３．
コンパートメントは、トンネルからなり、トンネルは、パネルをしっかりと受け入れるように構成されている、項８乃至１２のいずれか１項に記載のアパレルの物品。
【０１０２】
項１４．
第１の表面は、物品の最も外側の表面である、項８乃至１３のいずれか１項に記載のアパレルの物品。
【０１０３】
項１５．
アッパーを含むフットウェアの物品の中に制御デバイスを載置する方法であって、方法は、
フットウェアの物品のアッパーの内部空洞に制御デバイスを関連付ける工程と、
アッパーの一部分の中に形成されたスロットの中へ制御デバイスのパネルの縁部を挿入する工程と、
アッパーの中に形成されたコンパートメントの中にパネルが設けられるように、スロットを通してパネルを移動させる工程と、
パネルの上に設けられている少なくとも１つのボタンを、アッパーの上に形成された少なくとも１つのアパーチャに整合させる工程と、
からなる、方法。
【０１０４】
フットウェアの物品のアッパーの内部空洞に制御デバイスを関連付ける工程は、内部空洞の中の物品のアッパーに制御デバイスを連結する工程、又は、内部空洞の中に制御デバイスを設置する工程を含むことが可能である。
【０１０５】
項１６．
制御デバイスのポートをフットウェアの物品の中の接続要素に接続する工程をさらに含む、項１５に記載の方法。
【０１０６】
項１７．
少なくとも１つのボタン・カバーをパネルの上に載置する工程をさらに含む、項１５又は１６に記載の方法。
【０１０７】
項１８．
パネルに沿って形成されたフック部分を使用して、コンパートメントの中にパネルを固定する工程をさらに含む、項１５乃至１７のいずれか１項に記載の方法。
【０１０８】
項１９．
スロットを通してパネルを移動させる工程は、パネルの中に形成された孔部を把持する工程、及び、引張要素を使用してコンパートメントを通してパネルを案内する工程をさらに含む、項１５乃至１８のいずれか１項に記載の方法。
【０１０９】
項２０．
少なくとも１つのボタンがフットウェアの物品の甲領域に沿って位置付けされるように、パネルを位置決めする工程をさらに含む、項１５乃至１９のいずれか１項に記載の方法。
【図１】
2018516123.tif 000003
【図２】
2018516123.tif 000004
【図３】
2018516123.tif 000005
【図４】
2018516123.tif 000006
【図５】
2018516123.tif 000007
【図６】
2018516123.tif 000008
【図７】
2018516123.tif 000009
【図８】
2018516123.tif 000010
【図９】
2018516123.tif 000011
【図１０】
2018516123.tif 000012
【図１１】
2018516123.tif 000013
【図１２】
2018516123.tif 000014
【図１３】
2018516123.tif 000015
【図１４】
2018516123.tif 000016
【図１５】
2018516123.tif 000017
【図１６】
2018516123.tif 000018
【図１７】
2018516123.tif 000019
【国際調査報告】
2018516123.tif 000020
2018516123.tif 000021
2018516123.tif 000022